(57)【要約】【課題】フレキシブルホース内で塵芥に含まれる異物が引っ掛かることが無く、作業性に優れた塵芥吸引装置を提供する。【解決手段】塵芥吸引装置１０は、釘頭部が挿入される切り込み１３が先端部に形成された釘頭係合部１２を有する釘抜き１１と、釘抜き１１により引き抜かれた釘並びに釘抜き行為に伴って発生する粉塵を含む塵芥の吸引搬送路となるフレキシブルホース２０と、釘抜き１１を基部を支点として回動自在に保持すると共に、フレキシブルホース２０の吸入がわ端部を釘頭係合部１２の切り込み１３と対峙する位置に保持する保持部材１５とを有する。フレキシブルホース２０は、吸入がわ連結部材１６を介して保持部材１５に連結されると共に、排出がわ連結部材を介して異物捕集手段に連結され、吸入がわ連結部材１６の吸入口１９及び排出がわ連結部材の排出口の内径は、フレキシブルホース２０の内径と同一もしくはそれより大きな内径とされている。【選択図】図１
2010013857.tif 000002
【特許請求の範囲】
【請求項１】
塵芥を吸引除去するための塵芥吸引装置であって、
塵芥の吸引搬送路となるフレキシブルホースと、前記フレキシブルホースの吸入がわ端部を保持する保持部材とを備え、
前記フレキシブルホースは、該フレキシブルホースの吸入がわ端部に環装された吸入がわ連結部材を介して前記保持部材に連結されると共に、該フレキシブルホースの排出がわ端部に環装された排出がわ連結部材を介して、吸引された塵芥を捕集する異物捕集手段に連結され、前記吸入がわ連結部材の一端に形成された吸入口の内径が、前記フレキシブルホースの内径と同一もしくはテーパ部を介してそれより大きな内径とされ、かつ前記排出がわ連結部材の一端に形成された排出口の内径が、該フレキシブルホースの内径と同一もしくはそれより大きな内径とされていることを特徴とする塵芥吸引装置。
【請求項２】
釘頭部が挿入される切り込みが先端部に形成された釘頭係合部を有する釘抜きと、前記釘抜きにより引き抜かれた釘並びに釘抜き行為に伴って発生する粉塵の吸引搬送路となるフレキシブルホースと、前記釘抜きを該釘抜きの基部を支点として回動自在に保持すると共に、前記釘頭係合部の切り込みと対峙する位置に前記フレキシブルホースの吸入がわ端部を保持する保持部材とを備える塵芥吸引装置であって、
前記フレキシブルホースは、該フレキシブルホースの吸入がわ端部に環装された吸入がわ連結部材を介して前記保持部材に連結されると共に、該フレキシブルホースの排出がわ端部に環装された排出がわ連結部材を介して、吸引された釘及び粉塵を捕集する異物捕集手段に連結され、前記吸入がわ連結部材の一端に形成された吸入口の内径が、前記フレキシブルホースの内径と同一もしくはテーパ部を介してそれより大きな内径とされ、かつ前記排出がわ連結部材の一端に形成された排出口の内径が、該フレキシブルホースの内径と同一もしくはそれより大きな内径とされていることを特徴とする塵芥吸引装置。
【請求項３】
請求項１及び２のいずれか１項に記載の塵芥吸引装置において、前記吸入がわ連結部材は、前記フレキシブルホースの外周面に固定される固定部材と、前記固定部材に保持され、前記フレキシブルホースの外周面上を回転自在とされる回転部材とを備えていることを特徴とする塵芥吸引装置。
【請求項４】
請求項３記載の塵芥吸引装置において、前記吸入がわ連結部材を構成する固定部材に一端部が装着されると共に、前記フレキシブルホースの外周面上に形成されたリング状の突条部間に他端部が配置された第一の係止部材により、前記固定部材が前記フレキシブルホースに固定され、
前記排出がわ連結部材に一端部が装着されると共に、前記フレキシブルホースの外周面上に形成されたリング状の突条部間に他端部が配置された第二の係止部材により、前記排出がわ連結部材が前記フレキシブルホースに固定されていることを特徴とする塵芥吸引装置。
【請求項５】
請求項１〜４のいずれか１項に記載の塵芥吸引装置において、前記フレキシブルホースの内周面は平滑とされていることを特徴とする塵芥吸引装置。
【請求項６】
請求項１〜５のいずれか１項に記載の塵芥吸引装置において、前記フレキシブルホースの内径は２４〜２８ｍｍであることを特徴とする塵芥吸引装置。
【発明の詳細な説明】
【技術分野】
【０００１】
本発明は、釘、ねじ、その他の金属片や粉塵などを含む塵芥を吸引除去するための塵芥吸引装置に関する。
【背景技術】
【０００２】
従来、瓦や金属製屋根材の下面には、耐火性や断熱性を付与するため、石綿スレートが敷設されていた（例えば特許文献１参照）。石綿は、安価で加工しやすく、耐火性、断熱性、防音性等に優れるため、建築材料や吹き付け材などに多用されてきた。しかし、近年、石綿が発癌性を有することが社会問題となり、既存建築物に使用されている石綿の除去作業が全国的に実施されるようになってきた。
屋根に敷設されている石綿スレートは、野地板に釘付けされるのが一般的である。従って、石綿スレートを除去する場合、石綿スレートを野地板に固定している釘を抜き取る必要がある。ところが、石綿スレートを固定している釘を釘抜きを用いて抜くと、石綿が粉塵となって飛散するという問題があった。
【０００３】
そこで、本発明者は、Ｖ字状切り込みが釘頭掛止部の先部に形成された釘抜きの前記釘頭掛止部を貫通するピンが、当該釘頭掛止部を囲繞する枠組本体部に軸支されることにより、前記ピン回りに釘抜きが回動自在とされ、枠組本体部には、Ｖ字状切り込みに面する位置に、掃除機のフレキシブルホースに連結される連結パイプが設置され、さらに、枠組本体部全体がカバーに覆われてなる、石綿含有屋根材の止め釘の抜き具を考案した（特許文献２参照）。当該考案では、Ｖ字状切り込みに釘の頭部を挿入させて前記ピン回りに釘抜きを回動させることで、容易に釘を抜くことができる。抜けた釘は、発生した石綿粉塵と共に、連結パイプを介して掃除機に吸引される。その結果、石綿が飛散することがなく、安全かつ効率的に石綿除去作業を行うことが可能となる。
【０００４】
【特許文献１】特開平５−５２００５号公報
【特許文献２】実用新案登録第３１３１１３３号公報
【発明の開示】
【発明が解決しようとする課題】
【０００５】
しかしながら、特許文献２に記載されている石綿含有屋根材の止め釘の抜き具の場合、吸引された釘がフレキシブルホース内で引っ掛かって釘詰まりが発生し、釘抜き作業を中断せざるを得ないことがしばしばあった。
【０００６】
本発明はかかる事情に鑑みてなされたもので、フレキシブルホース内で塵芥に含まれる異物が引っ掛かることが無く、作業性に優れた塵芥吸引装置を提供することを目的とする。
【課題を解決するための手段】
【０００７】
上記目的を達成するため、第１の発明は、塵芥を吸引除去するための塵芥吸引装置であって、塵芥の吸引搬送路となるフレキシブルホースと、前記フレキシブルホースの吸入がわ端部を保持する保持部材とを備え、前記フレキシブルホースは、該フレキシブルホースの吸入がわ端部に環装された吸入がわ連結部材を介して前記保持部材に連結されると共に、該フレキシブルホースの排出がわ端部に環装された排出がわ連結部材を介して、吸引された塵芥を捕集する異物捕集手段に連結され、前記吸入がわ連結部材の一端に形成された吸入口の内径が、前記フレキシブルホースの内径と同一もしくはテーパ部を介してそれより大きな内径とされ、かつ前記排出がわ連結部材の一端に形成された排出口の内径が、該フレキシブルホースの内径と同一もしくはそれより大きな内径とされていることを特徴としている。
【０００８】
本発明では、フレキシブルホースを保持部材及び異物捕集手段に連結する連結部材がフレキシブルホースの端部に環装され、吸入がわ連結部材の一端に形成された吸入口の内径が、フレキシブルホースの内径と同一もしくはテーパ部を介してそれより大きな内径とされ、かつ排出がわ連結部材の一端に形成された排出口の内径が、フレキシブルホースの内径と同一もしくはそれより大きな内径とされているので、吸引された塵芥に含まれる異物（例えば、釘、ねじ、その他の金属片、小破砕屑など）がフレキシブルホース内で引っ掛かることがない。
【０００９】
また、第２の発明は、釘頭部が挿入される切り込みが先端部に形成された釘頭係合部を有する釘抜きと、前記釘抜きにより引き抜かれた釘並びに釘抜き行為に伴って発生する粉塵の吸引搬送路となるフレキシブルホースと、前記釘抜きを該釘抜きの基部を支点として回動自在に保持すると共に、前記釘頭係合部の切り込みと対峙する位置に前記フレキシブルホースの吸入がわ端部を保持する保持部材とを備える塵芥吸引装置であって、前記フレキシブルホースは、該フレキシブルホースの吸入がわ端部に環装された吸入がわ連結部材を介して前記保持部材に連結されると共に、該フレキシブルホースの排出がわ端部に環装された排出がわ連結部材を介して、吸引された釘及び粉塵を捕集する異物捕集手段に連結され、前記吸入がわ連結部材の一端に形成された吸入口の内径が、前記フレキシブルホースの内径と同一もしくはテーパ部を介してそれより大きな内径とされ、かつ前記排出がわ連結部材の一端に形成された排出口の内径が、該フレキシブルホースの内径と同一もしくはそれより大きな内径とされていることを特徴としている。
【００１０】
例えば、屋根に敷設された石綿スレートを除去する際、釘抜きにより引き抜かれた、石綿スレートを下地部材に固定している釘並びに釘抜き行為に伴って発生する粉塵は、釘頭係合部の切り込みと対峙する位置に吸入がわ端部が配置されたフレキシブルホースを介して掃除機などの吸引機によって吸引される。このため、石綿が飛散することがなく、安全かつ効率的に石綿除去作業を行うことができる。また、一端に吸入口が形成された吸入がわ連結部材を介して、フレキシブルホースの吸入がわ端部が保持部材によって保持されているので、吸引中に誤って吸入がわ連結部材の吸入口が床面などに密着し、吸い込み風量が一気に減少するということがない。
【００１１】
また、第１及び第２の発明に係る塵芥吸引装置では、前記吸入がわ連結部材は、前記フレキシブルホースの外周面に固定される固定部材と、前記固定部材に保持され、前記フレキシブルホースの外周面上を回転自在とされる回転部材とを備えていてもよい。
当該構成では、フレキシブルホースが保持部材との連結部において回転自在とされているので、釘抜き作業中にフレキシブルホースがねじれた場合でも、吸入がわ連結部材の回転部材を回転させることで、フレキシブルホースのねじれを容易に解消することができる。
【００１２】
また、第１及び第２の発明に係る塵芥吸引装置では、前記吸入がわ連結部材を構成する固定部材に一端部が装着されると共に、前記フレキシブルホースの外周面上に形成されたリング状の突条部間に他端部が配置された第一の係止部材により、前記固定部材が前記フレキシブルホースに固定され、前記排出がわ連結部材に一端部が装着されると共に、前記フレキシブルホースの外周面上に形成されたリング状の突条部間に他端部が配置された第二の係止部材により、前記排出がわ連結部材が前記フレキシブルホースに固定されていてもよい。
フレキシブルホースの外周面上に形成された突条部によって係止部材の動きが拘束され、フレキシブルホースの外周面に連結部材が固定される。当該構成では、係止部材がフレキシブルホースの内周面から内方に突出しないので、釘や粉塵が係止部材に引っ掛かることがないだけでなく、連結部材をフレキシブルホースに機械的に固定するので、単に接着剤で固定する場合に比べて強固に固定することができる。
【００１３】
また、第１及び第２の発明に係る塵芥吸引装置では、前記フレキシブルホースの内周面は平滑とされていることが好ましい。
ここで、上記「平滑」は、表面が平らで滑らかな面だけでなく、表面が湾曲した滑らかな面も含んでいる。
当該構成では、平滑な内周面を有するフレキシブルホースを使用しているので、吸引された塵芥に含まれる異物、例えば釘がフレキシブルホース内で引っ掛かることがなく、釘詰まりが発生しない。
【００１４】
また、第１及び第２の発明に係る塵芥吸引装置では、前記フレキシブルホースの内径は２４〜２８ｍｍであることを好適とする。
フレキシブルホースの内径が２４ｍｍ未満であると、フレキシブルホース内の圧損が大きくなって、吸い込み風速が低くなりすぎるという問題がある。一方、フレキシブルホースの内径が２８ｍｍを超えると、吸引力が不足し、吸い込み不良が発生する。
【発明の効果】
【００１５】
本発明に係る塵芥吸引装置では、フレキシブルホースを保持部材及び異物捕集手段に連結する吸入がわ連結部材及び排出がわ連結部材がフレキシブルホースの端部にそれぞれ環装され、吸入がわ連結部材の一端に形成された吸入口の内径が、フレキシブルホースの内径と同一もしくはテーパ部を介してそれより大きな内径とされ、かつ排出がわ連結部材の一端に形成された排出口の内径が、フレキシブルホースの内径と同一もしくはそれより大きな内径とされているので、吸引された塵芥に含まれる異物がフレキシブルホース内で引っ掛かることがない。このため、作業を中断する必要が無く、効率的に塵芥を吸引除去することができる。
【発明を実施するための最良の形態】
【００１６】
続いて、添付した図面を参照しつつ、本発明を具体化した実施の形態につき説明し、本発明の理解に供する。
【００１７】
本発明の一実施の形態に係る塵芥吸引装置１０の斜視図を図１に、側面図を図２に、平面図を図３に示す。また、フレキシブルホース２０の吸入がわ部分の平断面図を図４に、排出がわ部分の片側断面図を図５に示す。
【００１８】
図１に示すように、本塵芥吸引装置１０は、釘抜き１１と、釘抜き１１により引き抜かれた釘並びに釘抜き行為に伴って発生する粉塵を含む塵芥の吸引搬送路となる可撓性を有するフレキシブルホース２０と、釘抜き１１とフレキシブルホース２０の吸入がわ端部とを保持する保持部材１５とから概略構成されている。
【００１９】
釘抜き１１は、釘頭部が挿入される切り込み１３が先端部に形成された釘頭係合部１２と、釘頭係合部１２の基端部を起点として釘頭係合部１２とほぼ直交する方向に延在する棒状の柄部１４とを有し、側面視してＬ字形の形状をしている。釘頭係合部１２は、側面視して先端が尖ったテーパ状とされ（図２参照）、釘頭係合部１２の先端部に形成された切り込み１３は、平面視してＵ字状に形成されている（図３参照）。切り込み１３をこのような形状とすることにより、抜いた釘が切り込み１３に食い込むことが無く、切り込み１３から容易に外れるようになる。
【００２０】
フレキシブルホース２０は、リング状の突条部２０ａが長さ方向に所定の間隔をあけて形成されている外周面と対照的に、平滑な内周面を有している（図４参照）。内周面が平滑であるため、吸引された釘がフレキシブルホース２０内で引っ掛かることがなく、釘詰まりが発生しない。突条部２０ａは硬質ポリ塩化ビニル樹脂、それ以外は軟質ポリ塩化ビニル樹脂で形成され、さらに、フレキシブルホース２０に粉塵が付着しないように静電防止機能を有する樹脂を含有している。また、フレキシブルホース２０の内部が外から見えるように、フレキシブルホース２０は透明とされている。
なお、吸引機として使用する掃除機のパワーや、石綿スレートを固定している釘の長さ等との兼ね合いで、フレキシブルホース２０の内径は２４〜２８ｍｍとするのが好ましい。
【００２１】
保持部材１５は、対向して配置された一対の側板１５ａと、一対の側板１５ａ間に架設された一対の底板１５ｂとからなり、底板１５ｂと底板１５ｂの間は開口部２２とされている。
一対の側板１５ａ間には、釘抜き１１の釘頭係合部１２に形成された切り込み１３とフレキシブルホース２０の吸入がわ端面を対峙させた状態で、釘抜き１１とフレキシブルホース２０を配置する。釘頭係合部１２は、一対の側板１５ａ及び釘頭係合部１２を貫通するネジ２３によって軸支され、フレキシブルホース２０の吸入がわ端部は、後述する吸入がわ連結部材１６を介して一対の側板１５ａに連結されている。
【００２２】
なお、釘抜き行為によって発生した粉塵が飛散しないように、保持部材１５及びフレキシブルホース２０の吸入がわ部分は、可撓性を有する透明シートからなるカバー部材２１によって覆われている。
【００２３】
フレキシブルホース２０の吸入がわ端部には、吸入がわ連結部材１６が環装されている。吸入がわ連結部材１６は、フレキシブルホース２０の外周面に固定される第一の固定部材１７及び第二の固定部材１８と、第一の固定部材１７と第二の固定部材１８との間にあって第一の固定部材１７及び第二の固定部材１８に挟持され、フレキシブルホース２０の外周面上を回転自在とされる回転部材２６とを有している。
回転部材２６は、筒状とされ、回転部材２６を挟んで回転部材２６の半径方向に突出する一対のネジ２４を介して、保持部材１５を構成する一対の側板１５ａに連結されている。一方、第一の固定部材１７及び第二の固定部材１８は、それぞれ筒状とされ、第一の固定部材１７又は第二の固定部材１８に一端部が装着され、フレキシブルホース２０の外周面上に形成された隣接する突条部２０ａと突条部２０ａの間に他端部が配置された先端が平滑なピン３０（第一の係止部材）又はビス３１（第一の係止部材）によって、フレキシブルホース２０の外周面に固定されている。
また、第一の固定部材１７及び第二の固定部材１８の外周面には、一方のがわが他方のがわに比べて外径が小さな段差部１７ａ、１８ａがそれぞれ形成されており、回転部材２６は段差部１７ａ、１８ａ上を回転する。
【００２４】
図４に示すように、フレキシブルホース２０の吸入がわ端面から吸入がわ連結部材１６の一端に形成された吸入口１９の縁までの間の内周面はコーキング材で被覆され、外方に向けて拡径するテーパ部３２が形成されている。即ち、吸入口１９の内径は、フレキシブルホース２０の内径と同一もしくはそれより大きな内径とされている。
なお、テーパ部３２の傾斜角度は１０°〜５０°が好ましい。傾斜角度が５０°を超えると、釘が引っ掛かりやすくなり、逆に傾斜角度が１０°未満であると、フレキシブルホース２０の吸入がわ端面から吸入口１９の縁までの距離が長くなりすぎることになる。
【００２５】
一方、フレキシブルホース２０の排出がわ端部には、排出がわ連結部材３３が環装されている。図５に示すように、排出がわ連結部材３３は、後述するカプラー４３（図７参照）に内挿されるアダプター３４と、アダプター３４に一端部が螺挿される第一のスリーブ３５と、第一のスリーブ３５に嵌挿される第二のスリーブ３６とを有している。
アダプター３４は、筒状とされ、一端部には、後述するカプラー４３のカム部４４ａと係合する凹部３４ａが外周全体に亘って形成されている。また、アダプター３４の他端部の内周面には、第一のスリーブ３５の一端部に形成された雄ねじ部３５ａと螺合する雌ねじ部３４ｂが形成されている。
第二のスリーブ３６内には、フレキシブルホース２０が挿入されている。第一のスリーブ３５及び第二のスリーブ３６は、第一のスリーブ３５及び／又は第二のスリーブ３６に一端部が装着され、フレキシブルホース２０の外周面上に形成された隣接する突条部２０ａと突条部２０ａの間に他端部が配置された先端が平滑なビス３７（第二の係止部材）によって、フレキシブルホース２０の外周面に固定されている。
なお、排出がわ連結部材３３の一端に形成された排出口３８の内径は、フレキシブルホース２０の内径と同一もしくはそれより大きな内径とされている。
【００２６】
次に、本発明の一実施の形態に係る塵芥吸引装置１０の使用方法について、図６及び図７を用いて説明する。
塵芥吸引装置１０を掃除機などの吸引機４２に接続する際は、塵芥吸引装置１０を吸引機４２に直接接続せず、図６に示すように、異物捕集容器４０（異物捕集手段）を経由して接続する。即ち、塵芥吸引装置１０のフレキシブルホース２０を異物捕集容器４０から延出するエルボパイプ２７にレバー式カップリング２９を用いて接続すると共に、吸引機４２に接続されたフレキシブルホース４１を異物捕集容器４０から延出するエルボパイプ２８にレバー式カップリング２９を用いて接続する。
【００２７】
レバー式カップリング２９は、上述したアダプター３４と、アダプター３４が挿入される筒状のカプラー４３とから構成されている（図７参照）。カプラー４３の側面部には、中心軸を挟んで対向する一対の開口部４３ａが形成され、各開口部４３ａの外側（カプラー４３の外周面上）には、カム部４４ａを支点として回動するカムレバー４４が取り付けられている。カム部４４ａは、カムレバー４４の回動によって開口部４３ａからカプラー４３内部に出没可能になっている。アダプター３４をカプラー４３に内挿した状態で、カムレバー４４を倒すと、カム部４４ａがアダプター３４の凹部３４ａ面上を回動しながら凹部３４ａに係合し、アダプター３４とカプラー４３が結合状態でロックされる。一方、ロック状態にあるカムレバー４４を１８０度回動させると、カム部４４ａがカプラー４３外に回動してアンロック状態となる。
【００２８】
異物捕集容器４０は、収納された釘や粉塵の廃棄を容易にするため、着脱式の蓋４５を備えている。また、異物捕集容器４０は、透明部材で構成されており、収納される釘や粉塵の量を容易に確認できるようになっている。
【００２９】
塵芥吸引装置１０によって引き抜かれた釘は、フレキシブルホース２０を経由して異物捕集容器４０内に収納される。このようにすることで、吸引機４２内に徐々にゴミが溜まって吸い込み風量が低下した場合でも、フレキシブルホース２０のたるみ部に釘が集まってフレキシブルホース２０を閉塞させ一気に吸引不能に陥るのを防止することができる。また、吸引機４２に釘が到達しないので、吸引機４２の吸引能力を長時間維持することができる。
【００３０】
屋根に敷設された石綿スレート３９を除去する際は、塵芥吸引装置１０の保持部材１５を石綿スレート３９上に載置し、釘抜き１１の釘頭係合部１２に形成された切り込み１３に、石綿スレート３９を下地部材（図示省略）に固定している釘（図示省略）の釘頭部を挿入させる。そして、釘抜き１１の柄部１４を回動させ、釘を引き抜く。引き抜かれた釘は、吸入口１９から吸引され、フレキシブルホース２０を経由して異物捕集容器４０内に収納される。因みに、フレキシブルホース２０の長さが３ｍ程度の場合、吸入口１９の風速は２５〜２９ｍ／ｓ程度である。
【００３１】
以上、本発明の一実施の形態について説明してきたが、本発明は何ら上記した実施の形態に記載の構成に限定されるものではなく、特許請求の範囲に記載されている事項の範囲内で考えられるその他の実施の形態や変形例も含むものである。例えば、上記実施の形態では、保持部材は、釘抜きとフレキシブルホースの吸入がわ端部とを保持するようにしたが、フレキシブルホースの吸入がわ端部のみ保持するようにしても良い。また、連結部材をフレキシブルホースに係止部材のみで固定したが、接着剤を併用しても良い。
【図面の簡単な説明】
【００３２】
【図１】本発明の一実施の形態に係る塵芥吸引装置の斜視図である。
【図２】同塵芥吸引装置の側面図である。
【図３】同塵芥吸引装置の平面図である。
【図４】フレキシブルホースの吸入がわ部分の平断面図である。
【図５】フレキシブルホースの排出がわ部分の片側断面図である。
【図６】本発明の一実施の形態に係る塵芥吸引装置の使用方法を説明するための模式図である。
【図７】図６のＡ部の片側断面図である。
【符号の説明】
【００３３】
１０：塵芥吸引装置、１１：釘抜き、１２：釘頭係合部、１３：切り込み、１４：柄部、１５：保持部材、１５ａ：側板、１５ｂ：底板、１６：吸入がわ連結部材、１７：第一の固定部材、１７ａ：段差部、１８：第二の固定部材、１８ａ：段差部、１９：吸入口、２０：フレキシブルホース、２０ａ：突条部、２１：カバー部材、２２：開口部、２３、２４：ネジ、２６：回転部材、２７、２８：エルボパイプ、２９：レバー式カップリング、３０：ピン（第一の係止部材）、３１：ビス（第一の係止部材）、３２：テーパ部、３３：排出がわ連結部材、３４：アダプター、３４ａ：凹部、３４ｂ：雌ねじ部、３５：第一のスリーブ、３５ａ：雄ねじ部、３６：第二のスリーブ、３７：ビス（第二の係止部材）、３８：排出口、３９：石綿スレート、４０：異物捕集容器（異物捕集手段）、４１：フレキシブルホース、４２：吸引機、４３：カプラー、４３ａ：開口部、４４：カムレバー、４４ａ：カム部、４５：蓋
【図１】
2010013857.tif 000003
【図２】
2010013857.tif 000004
【図３】
2010013857.tif 000005
【図４】
2010013857.tif 000006
【図５】
2010013857.tif 000007
【図６】
2010013857.tif 000008
【図７】
2010013857.tif 000009